(57)【要約】【課題】  電子機器にエラーが発生した場合であっても、給電装置が電子機器への給電を適切に制御することができるようにすることを目的とする。【解決手段】  電子機器であって、給電装置から無線で電力を受け取る受電手段と、前記電子機器に関するエラーを検出するための処理を行う検出手段と、前記検出手段によって前記電子機器に関するエラーが検出されたか否かに応じて、前記給電装置に前記電子機器に関するエラーが発生したことを通知するための制御を行う制御手段とを有することを特徴とする電子機器。【選択図】  図２
2014225984.tif 000002
【特許請求の範囲】
【請求項１】
電子機器であって、
給電装置から無線で電力を受け取る受電手段と、
前記電子機器に関するエラーが検出されたか否かに応じて、前記給電装置に前記電子機器に関するエラーが発生したことを通知するための制御を行う制御手段と
を有することを特徴とする電子機器。
【請求項２】
負荷変調手段を有し、
前記制御手段は、前記給電装置に前記電子機器に関するエラーが発生したことを通知するためのデータを送信するように前記負荷変調手段を制御することを特徴とする請求項１に記載の電子機器。
【請求項３】
前記給電装置と通信を行う通信手段を有し、
前記検出手段によって前記電子機器に関するエラーが検出された場合、前記制御手段は、前記受電手段が前記給電装置から受け取った電力が所定の電力値以上であるか否かに応じて、前記通信手段及び前記負荷変調手段のいずれか一つを用いて、前記給電装置に前記電子機器に関するエラーが発生したことを通知するためのデータを送信するように制御することを特徴とする請求項２に記載の電子機器。
【請求項４】
前記制御手段は、前記検出手段によって前記電子機器に関するエラーが検出された場合に、前記受電手段が前記給電装置から受け取った電力が前記所定の電力値以上であるとき、前記負荷変調手段を用いて、前記給電装置に前記電子機器に関するエラーが発生したことを通知するためのデータを送信するように制御することを特徴とする請求項３に記載の電子機器。
【請求項５】
前記制御手段は、前記検出手段によって前記電子機器に関するエラーが検出された場合に、前記受電手段が前記給電装置から受け取った電力が前記所定の電力値以上でないとき、前記通信手段を用いて、前記給電装置に前記電子機器に関するエラーが発生したことを通知するためのデータを送信するように制御することを特徴とする請求項３または４に記載の電子機器。
【請求項６】
前記受電手段の共振周波数を設定する設定手段を有し、
前記制御手段は、前記給電装置に前記電子機器に関するエラーが発生したことを通知するために前記受電手段の共振周波数を変更するように前記設定手段を制御することを特徴とする請求項１から５のいずれか１項に記載の電子機器。
【請求項７】
前記受電手段のクオリティーファクターを設定する設定手段を有し、
前記制御手段は、前記給電装置に前記電子機器に関するエラーが発生したことを通知するために前記受電手段のクオリティーファクターを変更するように前記設定手段を制御することを特徴とする請求項１から６のいずれか１項に記載の電子機器。
【請求項８】
負荷手段と、
前記受電手段を介して供給される電力を前記負荷手段に供給するためのスイッチ手段とを有し、
前記制御手段は、前記給電装置に前記電子機器に関するエラーが発生したことを通知するために前記負荷手段で消費される電力が変更されるように前記スイッチ手段を制御することを特徴とする請求項１から７のいずれか１項に記載の電子機器。
【請求項９】
前記制御手段は、前記電子機器の温度に応じて、前記電子機器に関するエラーを検出するための処理を行うか否かを判定することを特徴とする請求項１から８のいずれか１項に記載の電子機器。
【請求項１０】
前記制御手段は、前記受電手段を介して供給される電力に応じて、前記電子機器に関するエラーを検出するための処理を行うことを特徴とする請求項１から９のいずれか１項に記載の電子機器。
【請求項１１】
前記制御手段は、前記電子機器の位置に応じて、前記電子機器に関するエラーを検出するための処理を行うことを特徴とする請求項１から１０のいずれか１項に記載の電子機器。
【請求項１２】
給電装置から無線で電力を受け取るステップと、
電子機器に関するエラーを検出するための処理を行うステップと、
前記電子機器に関するエラーが検出されたか否かに応じて、前記給電装置に前記電子機器に関するエラーが発生したことを通知するための制御を行うステップと
を含むことを特徴とする制御方法。
【請求項１３】
給電装置から無線で電力を受け取るステップと、
電子機器に関するエラーを検出するための処理を行うステップと、
前記電子機器に関するエラーが検出されたか否かに応じて、前記給電装置に前記電子機器に関するエラーが発生したことを通知するための制御を行うステップと
をコンピュータに実行させるためのプログラム。
【請求項１４】
給電装置から無線で電力を受け取るステップと、
電子機器に関するエラーを検出するための処理を行うステップと、
前記電子機器に関するエラーが検出されたか否かに応じて、前記給電装置に前記電子機器に関するエラーが発生したことを通知するための制御を行うステップと
をコンピュータに実行させるためのプログラムを記録した記録媒体。
【発明の詳細な説明】
【技術分野】
【０００１】
本発明は、給電装置から無線により電力を受け取る電子機器等に関する。
【背景技術】
【０００２】
近年、コネクタで接続することなく無線により電力を出力する給電装置と、給電装置から無線により供給される電力によって、電池を充電する電子機器とを含む無線給電システムが知られている。
【０００３】
このような無線給電システムにおいて、コマンドを電子機器に送信するための通信と、電子機器への電力の伝送とを同一のアンテナを用いて交互に行う給電装置が知られている（特許文献１）。
【先行技術文献】
【特許文献】
【０００４】
【特許文献１】特開２００８−１１３５１９号公報
【発明の概要】
【発明が解決しようとする課題】
【０００５】
しかしながら、このような給電装置は、電子機器への電力の伝送を行っている間、電子機器との通信を行うことができないので、電子機器の状態や充電の状態を検出することができなかった。
【０００６】
このため、給電装置が電子機器への電力の伝送を行っている間、電子機器に充電や給電に関するエラーが発生した場合であっても、給電装置は、電子機器との通信を行うことができないので、電子機器にエラーが発生したこと検出することができなかった。このため、給電装置は、電子機器への給電を適切に制御することができなかった。
【０００７】
そこで、本発明は、電子機器にエラーが発生した場合であっても、電子機器の状態に応じて、給電装置が電子機器への給電を適切に制御することができるようにすることを目的とする。
【課題を解決するための手段】
【０００８】
本発明に係る電子機器は、電子機器であって、給電装置から無線で電力を受け取る受電手段と、前記電子機器に関するエラーを検出する検出手段と、前記検出手段によって前記電子機器に関するエラーが検出されたか否かに応じて、前記給電装置に前記電子機器に関するエラーを通知するためのデータを送信するための負荷変調を行うための制御を行う制御手段とを有することを特徴とする。
【発明の効果】
【０００９】
本発明によれば、電子機器にエラーが発生した場合であっても、電子機器の状態に応じて、給電装置が電子機器のへの給電を適切に制御することができるようにすることができる。
【図面の簡単な説明】
【００１０】
【図１】本発明の実施例１に係る無線給電システムの一例を示す図である。
【図２】本発明の実施例１に係る給電装置の一例を示すブロック図である。
【図３】本発明の実施例１に係る電子機器の一例を示すブロック図である。
【図４】本発明の実施例１に係る電子機器の整合回路の一例を示す図である。
【図５】本発明の実施例１に係る電子機器の受電アンテナの共振周波数と受電効率との関係の一例を示す図である。
【図６】本発明の実施例１に係る電子機器の負荷部の一例を示す図である。
【図７】本発明の実施例１に係る給電装置によって行われる給電処理の一例である。
【図８】本発明の実施例１に係る電子機器によって行われる通知処理の一例である。
【発明を実施するための形態】
【００１１】
（実施例１）
以下、本発明の実施例１について、図面を参照して説明する。
【００１２】
図１に示すように、実施例１に係る給電システムは、給電装置１００と電子機器２００とを有する。実施例１における給電システムにおいて、給電装置１００における所定の範囲３００内に電子機器２００が存在する場合、給電装置１００は、電子機器２００に無線により給電を行う。また、電子機器２００が所定の範囲３００内に存在する場合、電子機器２００は、給電装置１００から出力される電力を無線により受け取ることができる。また、電子機器２００が所定の範囲３００内に存在しない場合、電子機器２００は、給電装置１００から電力を受け取ることができない。なお、所定の範囲３００とは、給電装置１００が電子機器２００と通信を行うことができる範囲であるものとする。所定の範囲３００を給電装置１００の筺体上の範囲としたが、これに限られないものとする。なお、給電装置１００は、複数の電子機器に対して無線により給電を行うものであってもよいものとする。
【００１３】
電子機器２００は、撮像装置や再生装置であってもよく、携帯電話やスマートフォンのような通信装置であってもよいものとする。また、電子機器２００は、電池を含む電池パックであってもよい。また、電子機器２００は、自動車やディスプレイであってもよく、パーソナルコンピュータであってもよい。
【００１４】
次に、図２を参照して、実施例１に係る給電装置１００の構成について説明を行う。給電装置１００は、図２に示すように、制御部１０１、給電部１０２、メモリ１０８、表示部１０９、操作部１１０、電流検出部１１１、温度検出部１１２及び第２の通信部１１３を有する。給電部１０２には、電力生成部１０３、検出部１０４、整合回路１０５、第１の通信部１０６及び給電アンテナ１０７が含まれる。
【００１５】
制御部１０１は、メモリ１０８に記録されているコンピュータプログラムを実行することによって、給電装置１００を制御する。制御部１０１は、例えば、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）を含む。なお、制御部１０１は、ハードウェアにより構成されるものとする。また、制御部１０１は、タイマー１０１ａを有する。
【００１６】
給電部１０２は、所定の給電方法に基づいて、無線給電を行うために用いられる。所定の給電方法は、例えば、磁界共鳴方式を用いた給電方法である。磁界共鳴方式とは、給電装置１００の給電アンテナ１０７の共振周波数と電子機器２００の受電アンテナ２０３の共振周波数とを一致させた状態において、給電装置１００から電子機器２００に電力を伝送するものである。
【００１７】
電力生成部１０３は、不図示のＡＣ電源と給電装置１００とが接続されている場合、不図示のＡＣ電源から供給される電力を用いて、給電アンテナ１０７を介して外部に出力するための電力を生成する。
【００１８】
電力生成部１０３によって生成される電力には、通信電力と、所定の電力とがある。通信電力は、第１の通信部１０６が電子機器２００と通信を行うために用いられる。通信電力は、例えば、１Ｗ以下の微弱な電力であるものとする。なお、通信電力は、第１の通信部１０６の通信規格に規定されている電力であってもよい。所定の電力は、電子機器２００が充電や特定の動作を行うために用いられる。所定の電力は、例えば、２Ｗ以上の電力であるものとする。また、所定の電力は、通信電力よりも大きい電力であれば、２Ｗ以上の電力に限られないものとする。所定の電力の値は、電子機器２００から取得したデータに基づいて、制御部１０１によって設定される。
【００１９】
電力生成部１０３によって生成される電力は、検出部１０４及び整合回路１０５を介して給電アンテナ１０７に供給される。
【００２０】
検出部１０４は、給電装置１００と電子機器２００との磁界による結合状態を検出するために、電圧定在波比ＶＳＷＲ（Ｖｏｌｔａｇｅ  Ｓｔａｎｄｉｎｇ  Ｗａｖｅ  Ｒａｔｉｏ）を定期的に検出する。さらに、検出部１０４は、検出したＶＳＷＲを示すデータを制御部１０１に供給する。ＶＳＷＲは、給電アンテナ１０７から出力される電力の進行波と、給電アンテナ１０７から出力される電力の反射波との関係を示す値である。制御部１０１は、検出部１０４から供給されたＶＳＷＲを示すデータを用いて、給電装置１００と電子機器２００との結合状態の変化や異物の存在を検出することができる。異物とは、例えば、金属やＩＣカード等である。なお、異物は、電池の充電を制御するための充電制御手段を有していない機器や、給電装置１００と通信を行うための通信手段を有していない機器であってもよい。また、異物は、第１の通信部１０６の通信規格に対応していない機器であってもよい。また、異物は、所定の給電方法に対応していない機器であってもよい。
【００２１】
整合回路１０５は、給電アンテナ１０７の共振周波数を設定する回路と、電力生成部１０３と給電アンテナ１０７との間のインピーダンスマッチングを行うための回路とを含む。
【００２２】
給電装置１００が給電アンテナ１０７を介して通信電力及び所定の電力のいずれか一つを出力する場合、制御部１０１は、給電アンテナ１０７の共振周波数を第１の周波数ｆ１に設定するように整合回路１０５を制御する。第１の周波数ｆ１は、例えば、１３．５６ＭＨｚである。
【００２３】
第１の通信部１０６は、例えば、ＮＦＣ（Ｎｅａｒ  Ｆｉｅｌｄ  Ｃｏｍｍｕｎｉｃａｔｉｏｎ）フォーラムによって規定されているＮＦＣ規格に基づいて、無線通信を行う。また、第１の通信部１０６の通信規格は、ＩＳＯ／ＩＥＣ  １８０９２規格であってもよく、ＩＳＯ／ＩＥＣ  １４４４３規格であってもよく、ＩＳＯ／ＩＥＣ  ２１４８１規格であってもよい。第１の通信部１０６は、通信電力が給電アンテナ１０７から出力されている場合、給電アンテナ１０７を介して電子機器２００と無線給電を行うためのデータの送受信を行うことができる。しかし、所定の電力が給電アンテナ１０７から出力されている期間において、第１の通信部１０６は、給電アンテナ１０７を介して電子機器２００と通信を行わないものとする。所定の電力が給電アンテナ１０７から出力されている期間を以下「所定の時間」と呼ぶ。所定の時間は、電子機器２００から取得したデータに基づいて、制御部１０１によって設定される。
【００２４】
第１の通信部１０６と電子機器２００との間で送受信されるデータは、例えば、ＮＤＥＦ（ＮＦＣ  Ｄａｔａ  Ｅｘｃｈａｎｇｅ  Ｆｏｒｍａｔ）に対応するデータである。
【００２５】
第１の通信部１０６は、電子機器２００にデータを送信する場合、電力生成部１０３から供給される通信電力に電子機器２００に送信するデータを重畳するためにＡＳＫ変調を行う。データが重畳された通信電力は、給電アンテナ１０７を介して電子機器２００に送信される。
【００２６】
第１の通信部１０６が、電子機器２００からデータを受信する場合、給電アンテナ１０７に流れる電流を検出し、この電流の検出結果に応じて、電子機器２００からデータを受信する。これは、電子機器２００が給電装置１００にデータを送信する場合に、電子機器２００の内部の負荷を変動させることによって、データの送信を行うからである。電子機器２００の内部の負荷が変化した場合、給電アンテナ１０７に流れる電流が変化する。このため、第１の通信部１０６は、給電アンテナ１０７に流れる電流を検出することで、電子機器２００からデータを受信することができる。
【００２７】
なお、第１の通信部１０６は、ＮＦＣ規格に規定されているリーダライタとして動作するものとする。
【００２８】
給電アンテナ１０７は、通信電力及び所定の電力のいずれか一つを電子機器２００に出力するためのアンテナである。また、給電アンテナ１０７は、第１の通信部１０６がＮＦＣ規格を用いた無線通信を電子機器２００と行うために用いられる。
【００２９】
メモリ１０８は、給電装置１００を制御するためのコンピュータプログラムを記録する。さらに、メモリ１０８は、給電装置１００に関する給電パラメータや給電を制御するためのフラグ等を記録する。また、メモリ１０８は、電子機器２００から第１の通信部１０６及び第２の通信部１１３の少なくとも一つが取得したデータを記録する。
【００３０】
表示部１０９は、メモリ１０８及び第２の通信部１１３から供給される映像データを表示する。
【００３１】
操作部１１０は、給電装置１００を操作するためのユーザインターフェースを提供する。操作部１１０は、給電装置１００を操作するためのボタン、スイッチやタッチパネル等を有する。制御部１０１は、操作部１１０を介して入力された入力信号に従って給電装置１００を制御する。
【００３２】
電流検出部１１１は、給電アンテナ１０７に流れる電流を検出し、検出した電流を示すデータを制御部１０１に供給する。制御部１０１は、電流検出部１１１から供給された電流を示すデータを用いて、異物の存在を検出することができる。
【００３３】
温度検出部１１２は、給電装置１００の温度を検出し、検出した温度を示すデータを制御部１０１に供給する。制御部１０１は、温度検出部１１２から供給された温度を示すデータを用いて、異物の存在を検出することができる。なお、温度検出部１１２によって検出される給電装置１００の温度は、給電装置１００内部の温度であってもよく、給電装置１００の表面の温度であってもよい。
【００３４】
第２の通信部１１３は、第１の通信部１０６の通信規格と異なる通信規格に基づいて、電子機器２００と無線通信を行う。第２の通信部１１３の通信規格は、例えば、無線ＬＡＮ（Ｗｉｒｅｌｅｓｓ  Ｌｏｃａｌ  Ａｒｅａ  Ｎｅｔｗｏｒｋ）規格やＢｌｕｅ  Ｔｏｏｔｈ（登録商標）規格である。第２の通信部１１３は、給電装置１００と電子機器２００との間で映像データ、音声データ及びコマンドの少なくとも一つを含むデータを送信したり受信することができる。
【００３５】
給電装置１００は、無線により電力を電子機器２００に供給するようにした。しかし、「無線」を「非接触」や「無接点」と言い換えてもよいものとする。
【００３６】
次に、図３を参照して、電子機器２００の構成の一例について説明を行う。電子機器２００は、制御部２０１、受電部２０２、電力検出部２０８、レギュレータ２０９、負荷部２１０、充電部２１１、電池２１３、撮像部２１４、位置検出部２１６、メモリ２１７、操作部２１８及び第２の通信部２１９を有する。受電部２０２には、受電アンテナ２０３、整合回路２０４、整流平滑回路２０５、第１の通信部２０６及び第１の温度検出部２０７が含まれる。
【００３７】
制御部２０１は、メモリ２１７に記録されているコンピュータプログラムを実行することによって、電子機器２００を制御する。制御部２０１は、例えば、ＣＰＵやＭＰＵを含む。なお、制御部２０１は、ハードウェアにより構成されるものとする。
【００３８】
受電部２０２は、所定の給電方法に対応し、給電装置１００から電力を無線により受け取るために用いられる。
【００３９】
受電アンテナ２０３は、給電装置１００から供給される電力を受け取るためのアンテナである。また、受電アンテナ２０３は、第１の通信部２０６がＮＦＣ規格を用いた無線通信を給電装置１００と行うために用いられる。受電アンテナ２０３を介して給電装置１００から電子機器２００が受け取った電力は、整合回路２０４を介して整流平滑回路２０５に供給される。
【００４０】
整合回路２０４は、受電アンテナ２０３の共振周波数を設定する回路を含む。制御部２０１は、整合回路２０４を制御することによって受電アンテナ２０３の共振周波数を設定することができる。
【００４１】
整合回路２０４は、電子機器２００と給電装置１００との間の結合状態を制御するために用いられる。整合回路２０４は、電子機器２００の受電アンテナ２０３の共振周波数や電子機器２００の受電アンテナ２０３のクオリティーファクター（Ｑｕａｌｉｔｙ  Ｆａｃｔｏｒ）（以下、「Ｑ値」と呼ぶ。）を設定する回路を含む。
【００４２】
整合回路２０４の構成の一例を図４に示す。図４に示すように、整合回路２０４は、可変コンデンサ２０４ａ、可変コンデンサ２０４ｂ、可変コイル２０４ｃ及び可変抵抗２０４ｄを含む。
【００４３】
受電アンテナ２０３の共振周波数ｆは、以下の数式（１）によって示される。数式（１）におけるＣは、可変コンデンサ２０４ａ及び可変コンデンサ２０４ｂによるキャパシタンスを示し、数式（１）におけるＬは、可変コイル２０４ｃ及び受電アンテナ２０３によるインダクタンスを示す。
【００４４】
【数１】
2014225984.tif 000003
【００４５】
制御部２０１は、可変コンデンサ２０４ａ、可変コンデンサ２０４ｂ及び可変コイル２０４ｃの少なくとも一つの値を制御することによって、受電アンテナ２０３の共振周波数ｆを設定することができる。これにより、制御部２０１は、受電アンテナ２０３の共振周波数ｆを変更するように整合回路２０４を制御することによって電子機器２００と給電装置１００との間の共振による結合状態を強めたり、弱めたりすることができる。電子機器２００と給電装置１００との間の共振による結合状態に応じて、給電装置１００から受電アンテナ２０３を介して電子機器２００に伝送される電力の損失が変化する。このため、制御部２０１は、受電アンテナ２０３の共振周波数ｆを変更するように整合回路２０４を制御することで、電子機器２００の受電効率を変更することができる。なお、電子機器２００の受電効率とは、給電装置１００から出力される電力に対して電子機器２００が受電アンテナ２０３を介して受け取る電力の割合を示す。
【００４６】
次に、図５に、受電アンテナ２０３の共振周波数ｆと、電子機器２００の受電効率との関係を示す。なお、図５に示される図の横軸は、整合回路２０４によって設定される受電アンテナ２０３の共振周波数ｆに対応し、図５に示される図の縦軸は、電子機器２００の受電効率に対応する。
【００４７】
給電アンテナ１０７の共振周波数と受電アンテナ２０３の共振周波数とが一致するほど、電子機器２００と給電装置１００との間の共振による結合状態が強くなり、給電装置１００から受電アンテナ２０３を介して電子機器２００に伝送される電力の損失が低下する。そのため、受電アンテナ２０３の共振周波数ｆが第１の周波数ｆ１である場合、電子機器２００の受電効率が最大になるが、受電アンテナ２０３の共振周波数ｆが第２の周波数ｆ２である場合、電子機器２００の受電効率が１０％となる。第２の周波数ｆ２は、第１の周波数ｆ１と異なる周波数である。例えば、第２の周波数ｆ２は、１００ＫＨｚ〜２５０ＫＨｚまでの周波数である。
【００４８】
次に、受電アンテナ２０３のＱ値について説明を行う。Ｑ値は、受電アンテナ２０３の共振周波数ｆのピークの鋭さを示す値である。
【００４９】
受電アンテナ２０３のＱ値は、以下の数式（２）によって示される。数式（２）におけるＣは、可変コンデンサ２０４ａ及び可変コンデンサ２０４ｂによるキャパシタンスを示し、数式（２）におけるＬは、可変コイル２０４ｃ及び受電アンテナ２０３によるインダクタンスを示す。数式（２）におけるＲは、可変抵抗２０４ｄによるインピーダンスを示す。
【００５０】
【数２】
2014225984.tif 000004
【００５１】
制御部２０１は、可変コンデンサ２０４ａ、可変コンデンサ２０４ｂ、可変コイル２０４ｃ及び可変抵抗２０４ｄの少なくとも一つの値を制御することによって、受電アンテナ２０３のＱ値を設定することができる。これにより、制御部２０１は、受電アンテナ２０３のＱ値を変更するように整合回路２０４を制御することによって電子機器２００と給電装置１００との間の結合状態を強めたり、弱めたりすることができる。このため、制御部２０１は、受電アンテナ２０３のＱ値を変更するように整合回路２０４を制御することで、電子機器２００の受電効率を変更することができる。受電アンテナ２０３のＱ値が大きいほど、電子機器２００と給電装置１００との間の結合状態が強くなり、給電装置１００から受電アンテナ２０３を介して電子機器２００に伝送される電力の損失が低下する。
【００５２】
整流平滑回路２０５は、受電アンテナ２０３によって受電された電力から直流電力を生成する。さらに、整流平滑回路２０５は、生成した直流電力を電力検出部２０８を介してレギュレータ２０９に供給する。また、整流平滑回路２０５は、受電アンテナ２０３によって受電された電力にデータが重畳されている場合、受電アンテナ２０３によって受電された電力から取り除かれたデータを第１の通信部２０６に供給する。
【００５３】
第１の通信部２０６は、第１の通信部１０６と同一の通信規格に基づいて、給電装置１００と通信を行う。第１の通信部２０６は、整流平滑回路２０５から供給されたデータを解析する。その後、第１の通信部２０６は、データの解析結果に応じて、給電装置１００に応答データを給電装置１００に送信する。
【００５４】
第１の温度検出部２０７は、受電部２０２の温度を検出し、検出した受電部２０２の温度を示すデータを制御部２０１に供給する。制御部２０１は、第１の温度検出部２０７から供給された温度のデータを用いて、電子機器２００に第１のエラーが発生しているか否かを判定する。第１のエラーとは、例えば、電子機器２００内の温度が高温になった場合に発生するエラーである。
【００５５】
制御部２０１は、第１の所定値と、第１の温度検出部２０７で検出された温度とを比較し、比較の結果を用いて、電子機器２００に第１のエラーが発生しているか否かを判定する。第１の所定値は、例えば、電池２１３の充電を正常に行うために設定されている温度の上限値である。また、第１の所定値は、例えば、受電部２０２や負荷部２１０を保護するために設定されている温度の上限値であってもよい。
【００５６】
電力検出部２０８は、受電アンテナ２０３を介して受け取った電力を検出し、検出した電力を示すデータを制御部２０１に供給する。
【００５７】
制御部２０１は、電力検出部２０８から供給された電力を示すデータを用いて、電子機器２００に第２のエラーが発生しているか否かを判定する。第２のエラーとは、例えば、電子機器２００の受電可能な電力の最大値よりも大きい電力を電子機器２００が給電装置１００から受け取った場合に発生するエラーである。
【００５８】
例えば、制御部２０１は、第２の所定値と、電力検出部２０８で検出された電力の値とを比較し、比較の結果を用いて、電子機器２００に第２のエラーが発生しているか否かを判定する。第２の所定値は、例えば、電子機器２００の受電可能な電力の最大値である。電力検出部２０８で検出された電力が第２の所定値よりも大きい場合、制御部２０１は、第２のエラーが電子機器２００に発生していると判定する。電力検出部２０８で検出された電力が第２の所定値以下である場合、制御部２０１は、第２のエラーが電子機器２００に発生していないと判定する。
【００５９】
さらに、制御部２０１は、電力検出部２０８から供給された電力を示すデータを用いて、電子機器２００に第３のエラーが発生しているか否かを判定する。第３のエラーとは、例えば、電子機器２００が使用する電力に対して電子機器２００が給電装置１００から受け取った電力が多い場合に発生するエラーである。
【００６０】
例えば、制御部２０１は、第３の所定値と、電力検出部２０８で検出された電力の値とを比較し、比較の結果を用いて、電子機器２００に第３のエラーが発生しているか否かを判定する。第３の所定値は、例えば、電子機器２００の動作に必要な電力の値である。また、例えば、第３の所定値は、電子機器２００の状態に対応する消費電力の値であっても良い。
【００６１】
電力検出部２０８で検出された電力が、第３の所定値以下である場合、制御部２０１は、第３のエラーが電子機器２００に発生していないと判定する。電力検出部２０８で検出された電力が、第３の所定値よりも大きい場合、制御部２０１は、第３のエラーが電子機器２００に発生していると判定する。
【００６２】
レギュレータ２０９は、制御部２０１からの指示に応じて、整流平滑回路２０５から供給される電力及び電池２１１から供給される電力の少なくとも一つを電子機器２００の各部に供給する。
【００６３】
負荷部２１０は、レギュレータ２０９から供給される電力を使用する負荷を含む。  次に、図６を用いて負荷部２１０について説明を行う。負荷部２１０には、第１の負荷２１０ａ、第１のスイッチ２１０ｂ、第２の負荷２１０ｃ及び第２のスイッチ２１０ｄが含まれる。制御部２０１は、第１のスイッチ２１０ｂ及び第２のスイッチ２１０ｄの少なくとも一つを制御することによって、負荷部２１０において消費される消費電力を変更し、電子機器２００の消費電力を変更することができる。
【００６４】
なお、第１のスイッチ２１０ｂがオンであり、第２のスイッチ２１０ｄがオフである状態で、レギュレータ２０９から第１の負荷２１０ａに電流が流れる場合における負荷部２１０の消費電力は、第１の消費電力Ｗ１となる。また、第２のスイッチ２１０ｂがオフであり第１のスイッチ２１０ｄがオンである状態で、レギュレータ２０９から第２の負荷２１０ｃに電流が流れる場合における負荷部２１０の消費電力は、第２の消費電力Ｗ２となる。第１の消費電力Ｗ１は、第２の消費電力Ｗ２よりも大きいものとする。
【００６５】
充電部２１１は、電池２１３を充電する。充電部２１１は、制御部２０１からの指示に応じて、レギュレータ２０９から供給される電力を用いて電池２１３を充電するか、電池２１３から放電される電力をレギュレータ２０９に供給するかを制御する。充電部２１１は、定期的に電池２１３の残容量を検出し、電池２１３の残容量を示すデータや電池２１３の充電に関するデータを制御部２０１に供給する。
【００６６】
また、充電部２１１は、第２の温度検出部２１２を有する。第２の温度検出部２１２は、充電部２１１の温度を検出し、検出した充電部２１１の温度を示すデータを制御部２０１に供給する。制御部２０１は、第２の温度検出部２１２から供給された温度を示すデータを用いて、電子機器２００に第１のエラーが発生しているか否かを判定する。
【００６７】
制御部２０１は、第１の所定値と、第２の温度検出部２１２で検出された温度とを比較し、比較の結果を用いて、電子機器２００に第１のエラーが発生しているか否かを判定する。
【００６８】
電池２１３は、電子機器２００に接続可能な電池である。また、電池２１３は、充電可能な二次電池であり、例えば、リチウムイオン電池等である。なお、電池２１３は、リチウムイオン電池以外のものであっても良いものとする。
【００６９】
制御部２０１は、電子機器２００と電池２１３とが接続されているか否かに応じて、電子機器２００に第４のエラーが発生しているか否かを判定する。第４のエラーとは、例えば、電子機器２００に電池２１３が接続されていない場合に発生するエラーである。電子機器２００と電池２１３とが接続されていない場合、制御部２０１は、電子機器２００に第４のエラーが発生していると判定する。電子機器２００と電池２１３とが接続されている場合、制御部２０１は、電子機器２００に第４のエラーが発生していないと判定する。
【００７０】
撮像部２１４は、被写体の光学像から静止画データや動画データを生成する。撮像部２１４は、ＣＣＤセンサやＣＭＯＳセンサ等の撮像素子を有する。さらに、撮像部２１４は、第３の温度検出部２１５を有する。第３の温度検出部２１５は、撮像素子の温度を検出し、検出した温度を示すデータを制御部１０１に通知する。制御部２０１は、第３の温度検出部２１５から供給された温度ヲ示すデータを用いて、電子機器２００に第１のエラーが発生しているか否かを判定する。
【００７１】
制御部２０１は、第１の所定値と、第３の温度検出部２１５で検出された温度とを比較し、比較の結果を用いて、電子機器２００に第１のエラーが発生しているか否かを判定する。  第１の温度検出部２０７、第２の温度検出部２１２、第３の温度検出部２１５の少なくとも一つで検出された温度が第１の所定値よりも高いである場合、制御部２０１は、第１のエラーが電子機器２００に発生していないと判定する。第１の温度検出部２０７、第２の温度検出部２１２及び第３の温度検出部２１５で検出された各温度が全て第１の所定値以下である場合、制御部２０１は、第１のエラーが電子機器２００に発生していないと判定する。
【００７２】
位置検出部２１６は、電子機器２００の位置の変化を示すデータを検出し、検出した電子機器２００の位置の変化を示すデータを制御部２０１に供給する。位置検出部２１６は、加速度センサや角速度センサ等を有する。制御部２０１は、位置検出部２１６から供給されたデータを用いて、電子機器２００に第５のエラーが発生しているか否かを判定する。
【００７３】
制御部２０１は、第４の所定値と、位置検出部２１６で検出されたデータとを比較し、比較の結果を用いて、電子機器２００に第５のエラーが発生しているか否かを判定する。
【００７４】
位置検出部２１６で検出された電子機器２００の位置の変化が第４の所定値よりも大きい場合、制御部２０１は、第５のエラーが電子機器２００に発生していると判定する。位置検出部２１６で検出された電子機器２００の位置の変化が第４の所定値以下である場合、制御部２０１は、第５のエラーが電子機器２００に発生していないと判定する。
【００７５】
メモリ２１７は、電子機器２００を制御するコンピュータプログラム及電子機器２００に関するパラメータ等の情報を記憶する。さらに、メモリ２１７は、第１の通信部２０６や第２の通信部２１９によって取得されたデータ等を記録する。
【００７６】
メモリ２１７は、電子機器２００を制御するコンピュータプログラム及電子機器２００に関するパラメータ等のデータを記憶する。
【００７７】
操作部２１８は、電子機器２００を操作するためのユーザインターフェースを提供する。制御部２０１は、操作部２１８を介して入力された入力信号に従って電子機器２００を制御する。
【００７８】
第２の通信部２１９は、給電装置１００と無線通信を行う。なお、第２の通信部２１９は、例えば、第２の通信部１１３と同一の通信規格に基づいて、給電装置１００と無線通信を行う。
【００７９】
（制御処理）
次に、実施例１において、給電装置１００によって行われる給電処理について、図７のフローチャートを用いて説明する。給電処理は、制御部１０１がメモリ１０８に格納されているコンピュータプログラムを実行することにより実現することができる。
【００８０】
Ｓ７０１において、制御部１０１は、通信電力を出力するように給電部１０２を制御する。さらに、制御部１０１は、給電アンテナ１０７の共振周波数を第１の周波数ｆ１に設定するように整合回路１０５を制御する。この場合、本フローチャートは、Ｓ７０２に進む。
【００８１】
Ｓ７０２において、制御部１０１は、検出部１０４から供給されたＶＳＷＲを示すデータを用いて、所定の範囲３００内に電子機器２００が存在するか否かを判定する。所定の範囲３００内に電子機器２００が存在すると判定された場合（Ｓ７０２でＹＥＳ）、本フローチャートは、Ｓ７０３に進む。所定の範囲３００内に電子機器２００が存在しないと判定された場合（Ｓ７０２でＮＯ）、Ｓ７０２の処理を繰り返し行う。
【００８２】
Ｓ７０３において、制御部１０１は、所定の範囲３００内に検出された電子機器２００に対して、無線給電を行うために用いられる認証データを要求するための要求データを電子機器２００に送信するように第１の通信部１０６を制御する。その後、制御部１０１は、第１の通信部１０６が要求データに対する応答として、電子機器２００から認証データを受信したか否かを判定する。第１の通信部１０６が電子機器２００から認証データを受信した場合、制御部１０１は、給電装置１００と電子機器２００との無線給電を行うための認証が成功したと判定する。第１の通信部１０６が電子機器２００から認証データを受信していない場合、制御部１０１は、給電装置１００と電子機器２００との無線給電を行うための認証が成功していないと判定する。給電装置１００と電子機器２００との認証が成功したと判定された場合（Ｓ７０３でＹＥＳ）、本フローチャートは、Ｓ７０４に進む。給電装置１００と電子機器２００との認証が成功していないと判定された場合（Ｓ７０３でＮＯ）、本フローチャートは、Ｓ７１０に進む。
【００８３】
Ｓ７０４において、制御部１０１は、電子機器２００に供給する電力を通信電力から所定の電力に切り替えるように給電部１０２を制御する。さらに、制御部１０１は、所定の電力が出力されてから経過した時間を計測するようにタイマー１０１ａを制御する。この場合、本フローチャートは、Ｓ７０５に進む。
【００８４】
Ｓ７０５において、制御部１０１は、第１の通信部１０６が所定のデータを受信したか否かを判定する。所定のデータについては後述する。第１の通信部１０６が所定のデータを受信したと判定された場合（Ｓ７０５でＹＥＳ）、本フローチャートは、Ｓ７１０に進む。第１の通信部１０６が所定のデータを受信していないと判定された場合（Ｓ７０５でＮＯ）、本フローチャートは、Ｓ７０６に進む。
【００８５】
Ｓ７０６において、制御部１０１は、検出部１０４から供給されたＶＳＷＲを示すデータを用いて、ＶＳＷＲの変化量が所定の変化量以上であるか否かを判定する。所定の変化量は、例えば、給電装置１００が異物を検出するために設定された閾値である。なお、所定の変化量を示すデータは、予めメモリ１０８に格納されているものとする。ＶＳＷＲの変化量が所定の変化量以上であると判定された場合（Ｓ７０６でＹＥＳ）、制御部１０１は、所定の範囲３００内に異物が存在すると判定し、本フローチャートは、Ｓ７１０に進む。ＶＳＷＲの変化量が所定の変化量以上でないと判定された場合（Ｓ７０６でＮＯ）、制御部１０１は、所定の範囲３００内に異物が存在しないと判定し、本フローチャートは、Ｓ７０７に進む。
【００８６】
Ｓ７０７において、制御部１０１は、タイマー１０１ａによって計測された時間に応じて、所定の電力が出力されてから所定の時間が経過したか否かを判定する。タイマー１０１ａによって計測された時間が所定の時間以上である場合、制御部１０１は、所定の電力が出力されてから所定の時間が経過したと判定し（Ｓ７０７でＹＥＳ）、本フローチャートは、Ｓ７０８に進む。タイマー１０１ａによって計測された時間が所定の時間以上でない場合、制御部１０１は、所定の電力が出力されてから所定の時間が経過していないと判定し（Ｓ７０７でＮＯ）、本フローチャートは、Ｓ７０４に進む。
【００８７】
Ｓ７０８において、制御部１０１は、電子機器２００に供給する電力を所定の電力から通信電力に切り替えるように給電部１０２を制御する。この場合、本フローチャートは、Ｓ７０９に進む。
【００８８】
Ｓ７０９において、制御部１０１は、電子機器２００に対して、無線給電を継続するか否かを問い合わせるために用いられる問合せデータを電子機器２００に送信するように第１の通信部１０６を制御する。その後、制御部１０１は、第１の通信部１０６が電子機器２００から問合せデータに対する応答として、給電の停止を給電装置１００に要求するための給電停止データを受信したか否かを判定する。第１の通信部１０６が電子機器２００から給電停止データを受信したと判定された場合（Ｓ７０９でＹＥＳ）、本フローチャートは、Ｓ７１０に進む。第１の通信部１０６が電子機器２００から給電停止データを受信していないと判定された場合（Ｓ７０９でＮＯ）、本フローチャートは、Ｓ７０４に戻る。
【００８９】
Ｓ７１０において、制御部１０１は、電子機器２００への無線給電を制限する処理を行う。例えば、制御部１０１は、電力の出力を停止するように給電部１０２を制御する。この場合、本フローチャートは終了する。
【００９０】
なお、第１の通信部１０６が所定のデータを受信したと判定された場合（Ｓ７０５でＹＥＳ）、Ｓ７１０の処理を行うようにしたが、これに限られないものとする。例えば、第１の通信部１０６が所定のデータを受信したと判定された場合（Ｓ７０５でＹＥＳ）、制御部１０１は、Ｓ７０８及びＳ７０９の処理を行った後に、Ｓ７１０の処理を行うようにしてもよい。
【００９１】
また、ＶＳＷＲの変化量が所定の変化量以上であると判定された場合（Ｓ７０６でＹＥＳ）、Ｓ７１０の処理を行うようにしたが、これに限られないものとする。例えば、ＶＳＷＲの変化量が所定の変化量以上であると判定された場合（Ｓ７０６でＹＥＳ）、制御部１０１は、Ｓ７０８及びＳ７０９の処理を行った後に、Ｓ７１０の処理を行うようにしてもよい。
【００９２】
（通知処理）
次に、実施例１において、電子機器２００によって行われる通知処理について、図８のフローチャートを用いて説明する。通知処理は、制御部２０１がメモリ２１７に格納されているコンピュータプログラムを実行することにより実現することができる。
【００９３】
制御部２０１は、受電アンテナ２０３の共振周波数ｆを第１の周波数ｆ１に設定するように整合回路２０４を制御する。
【００９４】
そして、Ｓ８０１において、制御部２０１は、第１の通信部２０６が要求データを給電装置１００から受信したか否か判定する。第１の通信部２０６が要求データを受信したと判定された場合（Ｓ８０１でＹＥＳ）、本フローチャートは、Ｓ８０２に進む。第１の通信部２０６が要求データを受信していないと判定された場合（Ｓ８０１でＮＯ）、本フローチャートは、終了する。
【００９５】
Ｓ８０２において、制御部２０１は、要求データに対応する応答として、認証データを給電装置１００に送信するための負荷変調を行うように第１の通信部２０６を制御する。認証データには、例えば、電子機器２００の識別データ、電子機器２００が対応している給電方法を示すデータ及び電子機器２００の受電能力を示すデータが含まれる。電子機器２００の受電能力を示すデータとは、例えば、受電アンテナ２０３が受け取ることができる電力の最大値を示すデータである。認証データは、予めメモリ２１７に記録されているものとする。認証データの送信が行われた後、本フローチャートは、Ｓ８０３に進む。
【００９６】
認証データの送信が行われた後、制御部２０１は、受電アンテナ２０３を介して給電装置１００から供給される電力を用いて電池２１３の充電を行うものとする。
【００９７】
Ｓ８０３において、制御部２０１は、電力検出部２０８から供給されるデータを用いて、受電アンテナ２０３を介して受け取った受電電力が所定の電力値以上であるか否かを判定する。所定の電力値は、給電装置１００から供給されている電力が所定の電力であるか、通信電力であるかを判定するための値である。例えば、所定の電力値は、１．５Ｗ〜２Ｗまでの値であるものとする。
【００９８】
受電電力が所定の電力値以上でない場合（Ｓ８０３でＮＯ）、制御部２０１は、給電装置１００が電子機器２００と通信を行うことができる状態であると判定し、本フローチャートは、Ｓ８０４に進む。受電電力が所定の電力値以上である場合（Ｓ８０３でＹＥＳ）、制御部２０１は、給電装置１００が電子機器２００と通信を行わない状態であると判定し、本フローチャートは、Ｓ８１１に進む。
【００９９】
Ｓ８０４において、制御部２０１は、第４のエラーが電子機器２００に発生したか否かを判定する。第４のエラーが電子機器２００に発生したと判定された場合（Ｓ８０４でＹＥＳ）、本フローチャートは、Ｓ８０９に進む。第４のエラーが電子機器２００に発生していないと判定された場合（Ｓ８０４でＮＯ）、本フローチャートは、Ｓ８０５に進む。
【０１００】
Ｓ８０５において、制御部２０１は、第１のエラーまたは第２のエラーが電子機器２００に発生したか否かを判定する。第１のエラーまたは第２のエラーが電子機器２００に発生したと判定された場合（Ｓ８０５でＹＥＳ）、本フローチャートは、Ｓ８０９に進む。第１のエラー及び第２のエラーが電子機器２００に発生していないと判定された場合（Ｓ８０５でＮＯ）、本フローチャートは、Ｓ８０６に進む。
【０１０１】
Ｓ８０６において、制御部２０１は、第３のエラーが電子機器２００に発生したか否かを判定する。第３のエラーが電子機器２００に発生したと判定された場合（Ｓ８０６でＹＥＳ）、本フローチャートは、Ｓ８０９に進む。第３のエラーが電子機器２００に発生していないと判定された場合（Ｓ８０６でＮＯ）、本フローチャートは、Ｓ８０７に進む。
【０１０２】
Ｓ８０７において、制御部２０１は、第５のエラーが電子機器２００に発生したか否かを判定する。第５のエラーが電子機器２００に発生したと判定された場合（Ｓ８０７でＹＥＳ）、本フローチャートは、Ｓ８０９に進む。第５のエラーが電子機器２００に発生していないと判定された場合（Ｓ８０７でＮＯ）、本フローチャートは、Ｓ８０８に進む。
【０１０３】
Ｓ８０８において、制御部２０１は、電池２１３の充電が完了したか否かを判定する。電池２１３の充電が完了したと判定された場合（Ｓ８０８でＹＥＳ）、本フローチャートは、Ｓ８０９に進む。電池２１３の充電が完了していないと判定された場合（Ｓ８０８でＮＯ）、本フローチャートは、Ｓ８０３に戻る。
【０１０４】
Ｓ８０９において、制御部２０１は、第１の通信部２０６が問合せデータを給電装置１００から受信したか否か判定する。第１の通信部２０６が問合せデータを受信したと判定された場合（Ｓ８０９でＹＥＳ）、本フローチャートは、Ｓ８１０に進む。第１の通信部２０６が問合せデータを受信していないと判定された場合（Ｓ８０９でＮＯ）、本フローチャートは、終了する。
【０１０５】
Ｓ８１０において、制御部２０１は、問合せデータに対応する応答として、給電停止データを給電装置１００に送信するための負荷変調を行うように第１の通信部２０６を制御する。さらに、制御部２０１は、電子機器２００が給電装置１００に給電を停止することを要求する理由を示すデータを給電装置１００に送信するための負荷変調を行うように第１の通信部２０６を制御してもよい。給電停止データの送信が行われた後、本フローチャートは、終了する。
【０１０６】
Ｓ８１１において、制御部２０１は、Ｓ８０４と同様の処理を行う。第４のエラーが電子機器２００に発生したと判定された場合（Ｓ８１１でＹＥＳ）、本フローチャートは、Ｓ８１６に進む。第４のエラーが電子機器２００に発生していないと判定された場合（Ｓ８１１でＮＯ）、本フローチャートは、Ｓ８１２に進む。
【０１０７】
Ｓ８１２において、制御部２０１は、Ｓ８０５と同様の処理を行う。第１のエラーまたは第２のエラーが電子機器２００に発生したと判定された場合（Ｓ８１２でＹＥＳ）、本フローチャートは、Ｓ８１６に進む。第１のエラー及び第２のエラーが電子機器２００に発生していないと判定された場合（Ｓ８１２でＮＯ）、本フローチャートは、Ｓ８１３に進む。
【０１０８】
Ｓ８１３において、制御部２０１は、Ｓ８０６と同様の処理を行う。第３のエラーが電子機器２００に発生したと判定された場合（Ｓ８１３でＹＥＳ）、本フローチャートは、Ｓ８１６に進む。第３のエラーが電子機器２００に発生していないと判定された場合（Ｓ８１３でＮＯ）、本フローチャートは、Ｓ８１４に進む。
【０１０９】
Ｓ８１４において、制御部２０１は、Ｓ８０７と同様の処理を行う。第５のエラーが電子機器２００に発生したと判定された場合（Ｓ８１４でＹＥＳ）、本フローチャートは、Ｓ８１６に進む。第５のエラーが電子機器２００に発生していないと判定された場合（Ｓ８１４でＮＯ）、本フローチャートは、Ｓ８１５に進む。
【０１１０】
Ｓ８１５において、制御部２０１は、Ｓ８０８と同様の処理を行う。電池２１３の充電が完了したと判定された場合（Ｓ８１５でＹＥＳ）、本フローチャートは、Ｓ８１６に進む。電池２１３の充電が完了していないと判定された場合（Ｓ８１５でＮＯ）、本フローチャートは、Ｓ８０３に戻る。
【０１１１】
給電装置１００が電子機器２００と通信を行わない状態であると判定された場合（Ｓ８０３でＹＥＳ）、電子機器２００は、給電装置１００から受信したデータへの応答として、電子機器２００にエラーが発生したことを給電装置１００に通知することができない。また、給電装置１００が電子機器２００と通信を行わない状態であると判定された場合（Ｓ８０３でＹＥＳ）、電子機器２００は、給電装置１００から受信したデータへの応答として、電池２１３の充電が完了したことを給電装置１００に通知することができない。
【０１１２】
そのため、給電装置１００は、電子機器２００にエラーが発生した場合であっても、電子機器２００の状態を検出することができないので、電子機器２００に所定の電力を出力し続けていた。また、給電装置１００は、電池２１３の充電が完了した場合であっても、電子機器２００の状態を検出することができないので、電子機器２００に所定の電力を出力し続けていた。
【０１１３】
このような場合、給電装置１００から電子機器２００に過剰な電力が供給されるような事態が発生する可能性がある。このような事態を防ぐするために、後述のＳ８１６〜Ｓ８１９の処理を行う。
【０１１４】
Ｓ８１６において、制御部２０１は、所定のデータを給電装置１００に送信するための負荷変調を行うように第１の通信部２０６を制御する。所定のデータには、例えば、電子機器２００にエラーが発生したことを示すデータ及び電池２１３の充電が完了したことを示すデータの少なくとも一つが含まれる。さらに、所定のデータには、電子機器２００に発生したエラーの種類を示すデータが含まれていても良い。例えば、電子機器２００に第４のエラーが発生した場合（Ｓ８１１でＹＥＳ）、制御部２０１は、エラーの発生を示すデータ及び第４のエラーを示すデータを含む所定のデータを給電装置１００に送信するための負荷変調を行うように第１の通信部２０６を制御する。なお、第４のエラー以外のエラーが発生した場合も同様である。
【０１１５】
第１の通信部１０６は、所定の電力が給電アンテナ１０７を介して出力されている間であっても、給電アンテナ１０７に流れる電流を検出することで、所定のデータを電子機器２００から受信することができる。そのため、給電装置１００が自発的に電子機器２００と通信を行わない状態であっても、電子機器２００は、所定のデータを送信するための負荷変調を行うことによって、電子機器２００にエラーが発生したことを給電装置１００に通知することができる。また、給電装置１００が自発的に電子機器２００と通信を行わない状態であっても、電子機器２００は、所定のデータを送信するための負荷変調を行うことによって、電池２１３の充電が完了したことを給電装置１００に通知することができる。所定のデータを給電装置１００に送信するための負荷変調を行われた後、本フローチャートは、Ｓ８１７に進む。
【０１１６】
電子機器２００によって所定のデータの送信が行われた場合であっても、所定のデータを第１の通信部１０６が受信するまでに時間がかかる場合がある。このような場合、制御部２０１は、検出部１０４で検出されているＶＳＷＲが所定の変化量以上変化するように電子機器２００の状態を制御する制御処理を行う。検出部１０４で検出されているＶＳＷＲが所定の変化量以上変化した場合、給電装置１００は、異物が存在すると判定し、電子機器２００に供給する電力を通信電力に変更する。これにより、電子機器２００に過剰な電力が供給されないようにすることができる。
【０１１７】
なお、制御処理は、後述のＳ８１７〜Ｓ８１９の処理の少なくとも一つの処理である。
【０１１８】
Ｓ８１７において、制御部２０１は、受電アンテナ２０３のＱ値を下げるように整合回路２０４を制御する。受電アンテナ２０３のＱ値が第１のＱ値である場合、制御部２０１は、受電アンテナ２０３のＱ値が第２のＱ値になるように整合回路２０４を制御する。
【０１１９】
第２のＱ値は、第１のＱ値よりも低い値である。例えば、第１のＱ値は、５００〜２５００までの値であり、第２のＱ値は、１００以下の値である。
【０１２０】
受電アンテナ２０３のＱ値を下げる処理が行われた場合、受電アンテナ２０３を介して電子機器２００が給電装置１００から受け取る電力量が少なくなるので、給電アンテナ１０７から出力される電力の反射波や進行波が変化する。これにより、検出部１０４で検出されているＶＳＷＲは、変化する。受電アンテナ２０３のＱ値が変更された後、本フローチャートは、Ｓ８１８に進む。
【０１２１】
Ｓ８１８において、制御部２０１は、受電アンテナ２０３の共振周波数ｆを第１の周波数ｆ１から第２の周波数ｆ２に変更するように整合回路２０４を制御する。なお、Ｓ８１８において、制御部２０１は、受電アンテナ２０３の共振周波数ｆを第２の周波数ｆ２に変更するようにしたが、これに限られないものとする。例えば、制御部２０１は、受電アンテナ２０３の共振周波数ｆを第３の周波数ｆ３に変更するようにしてもよい。例えば、第３の周波数ｆ３は、１００ＭＨｚ〜２５０ＭＨｚまでの周波数である。
【０１２２】
受電アンテナ２０３の共振周波数ｆが変更された場合、受電アンテナ２０３を介して電子機器２００が給電装置１００から受け取る電力量が少なくなるので、給電アンテナ１０７から出力される電力の反射波や進行波が変化する。これにより、検出部１０４で検出されているＶＳＷＲは、変化する。受電アンテナ２０３の共振周波数ｆが変更された後、本フローチャートは、Ｓ８１９に進む。
【０１２３】
Ｓ８１９において、制御部２０１は、電子機器２００の消費電力を変更するように負荷部２１０を制御する。
【０１２４】
例えば、第２のスイッチ２１０ｄがオンで、第１のスイッチ２１０ｂがオフである場合、Ｓ８１９において、制御部２０１は、第１のスイッチ２１０ｂをオンにするように負荷部２１０を制御する。
【０１２５】
また、例えば、第１のスイッチ２１０ｂ及び第２のスイッチ２１０ｄがオンである場合、Ｓ８１９において、制御部２０１は、第１のスイッチ２１０ｂ及び第２のスイッチ２１０ｄをオフにするように負荷部２１０を制御する。
【０１２６】
電子機器２００の消費電力が変更された場合、給電アンテナ１０７から出力される電力の反射波や進行波が変化する。これにより、検出部１０４で検出されているＶＳＷＲは、変化する。電子機器２００の消費電力が変更された後、本フローチャートは、Ｓ８０９に進む。
【０１２７】
このように実施例１に係る電子機器２００は、給電装置１００が電子機器２００への電力の伝送を行っている間に、電子機器２００の状態を変更することによって電子機器２００にエラーが発生したことを給電装置１００に通知するようにした。
【０１２８】
電子機器２００にエラーが発生したことが検出された場合、電子機器２００は、自発的に負荷変調を行うことによって所定のデータを給電装置１００に送信するようにした。さらに、電子機器２００にエラーが発生したことが検出された場合、電子機器２００は、電子機器２００の状態を変更することによって、異物が所定の範囲３００内に置かれたような状態を意図的に作り出すようにした。
【０１２９】
これにより、給電装置１００は、電子機器２００との通信を行うことができない期間であっても、電子機器２００の負荷変調により送信される所定のデータを検出することによって、電子機器２００にエラーが発生したか否かを検出することができる。さらに、給電装置１００は、電子機器との通信を行うことができない期間であっても、給電装置１００から出力される電力の進行波や反射波の変化を検出することによって、電子機器２００にエラーが発生したか否かを検出することができる。このため、給電装置１００は、電子機器２００にエラーが発生したか否かに応じて、電子機器２００への給電を適切に制御することができる。
【０１３０】
また、電子機器２００は、給電装置１００が電子機器２００への電力の伝送を行っている間に、電子機器２００の状態を変更することによって電池２１３の充電が完了したことを給電装置１００に通知するようにした。
【０１３１】
電池２１３の充電が完了したことが検出された場合、電子機器２００は、自発的に負荷変調を行うことによって所定のデータを給電装置１００に送信するようにした。さらに、電池２１３の充電が完了したことが検出された場合、電子機器２００は、電子機器２００の状態を変更することによって、異物が所定の範囲３００内に置かれたような状態を意図的に作り出すようにした。
【０１３２】
これにより、給電装置１００は、電子機器２００との通信を行うことができない期間であっても、電子機器２００の負荷変調により送信される所定のデータを検出することによって、電子機器２００の電池２１３の充電が完了したか否かを検出することができる。さらに、給電装置１００は、電子機器との通信を行うことができない期間であっても、給電装置１００から出力される電力の進行波や反射波の変化を検出することによって、電子機器２００の電池２１３の充電が完了したか否かを検出することができる。このため、給電装置１００は、電池２１３の充電が完了したか否かに応じて、電子機器２００への給電を適切に制御することができる。
【０１３３】
実施例１において、電子機器２００は、Ｓ８１６からＳ８１９の処理を行うようにしたが、これに限られないものとする。例えば、電子機器２００は、Ｓ８１６の処理を行った後、Ｓ８１７、Ｓ８１８及びＳ８１９の処理を行わずに、Ｓ８０９の処理を行ってもよい。また、例えば、電子機器２００は、Ｓ８１６の処理を行った後、Ｓ８１７、Ｓ８１８及びＳ８１９のいずれか一つだけを行ってからＳ８０９の処理を行ってもよい。
【０１３４】
検出部１０４は、給電装置１００と電子機器２００との磁界による結合状態を検出するために、ＶＳＷＲを検出するものとしたが、これに限られないものとする。例えば、検出部１０４は、ＶＳＷＲの代わりに、給電アンテナ１０７から出力される電力の反射波の特性を示す反射特性データを検出するものであっても良い。この場合、制御部１０１は、検出部１０４から供給される反射特性データを用いて、給電装置１００と電子機器２００との結合状態の変化や異物の存在を検出するものとする。
【０１３５】
位置検出部２１６は、電子機器２００の位置の変化を示すデータを検出するものとして説明を行ったが、これに限られないものとする。例えば、位置検出部２１６は、電子機器２００の位置の変化を示すデータの代わりに、電子機器２００の姿勢の変化を示すデータを検出し、制御部２０１に供給するものであってもよい。この場合、制御部２０１は、電子機器２００の姿勢の変化を示すデータを用いて、電子機器２００に第５のエラーが発生しているか否かを判定するものとする。
【０１３６】
実施例１において、給電装置１００は、給電アンテナ１０７を用いて電子機器２００に所定の電力を供給し、給電アンテナ１０７を用いて第１の通信部１０６と電子機器２００との通信を行うようにしたが、これに限られないものとする。例えば、給電装置１００は、電子機器２００に所定の電力を供給するためのアンテナと、第１の通信部１０６と電子機器２００との通信を行うためのアンテナとを別々に有する構成であってもよい。
【０１３７】
また、電子機器２００は、受電アンテナ２０３を用いて給電装置１００から電力を受け取り、受電アンテナ２０３を用いて給電装置１００と第１の通信部２０６との通信を行うようにしたが、これに限られないものとする。例えば、電子機器２００は、給電装置１００から電力を受け取るためのアンテナと、給電装置１００と第１の通信部２０６との通信を行うアンテナとを別々に有する構成であってもよい。
【０１３８】
なお、第１の通信部１０６がＮＦＣ規格におけるリーダライタとして動作するものとして説明を行ったが、これに限られないものとする。例えば、第１の通信部１０６がＮＦＣ規格におけるＰ２Ｐ（Ｐｅｅｒ  Ｔｏ  Ｐｅｅｒ）として動作するものであってもよい。
【０１３９】
実施例１において、所定の給電方法は、磁界共鳴方式を用いた給電方法として説明を行ったが、所定の給電方法は、電磁誘導方式を用いた給電方法であっても良い。また、所定の給電方法は、ＷＰＣ（Ｗｉｒｅｌｅｓｓ  Ｐｏｗｅｒ  Ｃｏｎｓｏｒｔｉｕｍ）に規定されている規格（例えば「Ｑｉ」規格）を用いた給電方法であってもよい。また、所定の給電方法は、ＢＷＦ（Ｂｒｏａｄｂａｎｄ  Ｗｉｒｅｌｅｓｓ  Ｆｏｒｕｍ）に規定されている規格を用いた給電方法であってもよい。また、所定の給電方法は、Ａ４ＷＰ（Ａｌｌｉａｎｃｅ  ｆｏｒ  Ｗｉｒｅｌｅｓｓ  Ｐｏｗｅｒ）に規定されている規格を用いた給電方法であってもよい。
【０１４０】
（他の実施例）
本発明に係る給電装置は、実施例１で説明した給電装置１００に限定されるものではない。例えば、本発明に係る給電装置は、複数の装置から構成されるシステムにより実現することも可能である。また、本発明に係る電子機器は、実施例１で説明した電子機器２００に限定されるものではない。例えば、本発明に係る電子機器は、複数の装置から構成されるシステムにより実現することも可能である。
【０１４１】
また、実施例１で説明した様々な処理及び機能は、コンピュータプログラムより実現することも可能である。この場合、本発明に係る処理はコンピュータプログラムで実行可能であり、実施例１で説明した様々な機能を実現することになる。
【０１４２】
本発明に係るコンピュータプログラムは、コンピュータ上で稼動しているＯＳ（Ｏｐｅｒａｔｉｎｇ  Ｓｙｓｔｅｍ）などを利用して、実施例１で説明した様々な処理及び機能を実現してもよいことは言うまでもない。
【０１４３】
本発明に係るコンピュータプログラムは、コンピュータ読取可能な記録媒体から読み出され、コンピュータで実行されることになる。コンピュータ読取可能な記録媒体には、ハードディスク装置、光ディスク、ＣＤ−ＲＯＭ、ＣＤ−Ｒ、メモリカード、ＲＯＭ等を用いることができる。また、本発明に係るコンピュータプログラムは、通信インターフェースを介して外部装置からコンピュータに提供され、当該コンピュータで実行されるようにしてもよい。
【符号の説明】
【０１４４】
給電装置  １００
電子機器  ２００
【図１】
2014225984.tif 000005
【図２】
2014225984.tif 000006
【図３】
2014225984.tif 000007
【図４】
2014225984.tif 000008
【図５】
2014225984.tif 000009
【図６】
2014225984.tif 000010
【図７】
2014225984.tif 000011
【図８】
2014225984.tif 000012